(57)【要約】【課題】パソコンや高価な表示装置を用いることなく、多くの外字コードを登録し表示できる表示装置を提供することにある。また、その表示装置を備える写真処理装置を提供することにある。【解決手段】ＬＣＤモジュール２１と、ＬＣＤモジュール２１の表示制御を行う表示制御部２０２と、ＬＣＤモジュール２１に備えられているユーザ定義用メモリに登録できる外字数以上の外字群で構成された外字コード表を登録している外字コード表記憶部２０３と、ＬＣＤモジュールの表示画面に応じて必要とされる外字を、前記外字コード表から抽出する外字コード抽出部２０４と、を有することを特徴としている。【選択図】図１
2008275869.tif 000002
【特許請求の範囲】
【請求項１】
ＬＣＤモジュールと、
前記ＬＣＤモジュールの表示制御を行う表示制御部と、
前記ＬＣＤモジュールに備えられているユーザ定義用メモリに登録できる外字数以上の外字群で構成された外字コード表を登録している外字コード表記憶部と、
前記ＬＣＤモジュールの表示画面に応じて必要とされる外字を、前記外字コード表から抽出する外字コード抽出部と、を有する表示装置。
【請求項２】
前記外字コード抽出部は、前記表示画面に表示される外字を識別する外字識別情報に基づいて、外字コード表から当該外字識別情報に応じた外字データを抽出することを特徴とする請求項１に記載の表示装置。
【請求項３】
請求項１または２に記載の表示装置を備える写真処理装置であって、
表示制御部と、外字コード表記憶部と、外字コード抽出部とは、マイコン基板上に構成され、当該マイコン基板は、写真処理装置の基本動作を制御する制御部を有して構成されていることを特徴とする写真処理装置。
【発明の詳細な説明】
【技術分野】
【０００１】
本発明は、ＬＣＤモジュールと、当該ＬＣＤモジュールの表示制御を行う表示制御部とを備えている表示装置に関する。また、当該表示装置を備える写真プリント処理を行う写真処理装置に関する。
【背景技術】
【０００２】
従来から、写真処理装置には、パソコンが設置され、このパソコンによって写真処理装置の基本動作を制御したり、ユーザからの指示要求を受付可能とし、この指示要求に従った動作を写真処理装置に行なわせることができるように構成されていた。しかし、写真処理装置をネットワークを介してコントローラ端末（ＰＣ）と接続する構成においては、コントローラ端末でユーザからの指示要求を受付可能とし、写真処理装置にこの指示要求を転送することで写真処理装置に動作を行なわせることが可能である。このような構成においては、写真処理装置側に高価でハイスペックのパソコンを設置する必要がない。
【０００３】
また、写真処理装置は、コントローラ端末からの指示要求がなくとも、その基本動作を行なわせたい要望がある。例えば、写真処理装置の起動時にセットアップを行なわせたい場合がある。ここでのセットアップとは、例えば、イエロー、マゼンタ、シアンの色合い（色味）の調整を行うことである。例えば、セットアップ用画像（テスト画像）を写真処理装置でセットアッププリントする。その後セットアッププリントのテスト画像に対して濃度の測定を行う。この測定された結果をもとに適正な仕上がりか否かが判断され、適正な仕上がりでない場合、光源の印加電圧、露光ヘッドの移動速度等を制御し、光量調整や露光調整を行い、セットアッププリントを繰り返す（特許文献１）。
【０００４】
また、写真処理装置の動作中において、その処理状況（進行状況、エラー情報等）を表示させたいという要望がある。しかし、高額でハイスペックの表示装置（例えば、フルカラー液晶表示装置）等は必要がなく、安価な表示装置の使用が検討されている。
【０００５】
また、近年の写真処理装置業界におけるコスト削減要求がこれまでになく強く要求されている。
【０００６】
したがって、写真処理装置側において、高価でハイスペックのパソコンや表示装置を設置せずに、写真処理装置側で基本動作が行なえ、かつ、その処理状況を確認できるような構成が要望されている。
【０００７】
しかしながら、安価な表示装置として、文字数が限定されている（例：１６文字２行）文字表示装置を用いる場合、表示データ用の格納用メモリ（Ｄｉｓｐｌａｙ  Ｄａｔａ  Ｒａｍ）容量が小さく、さらに、ユーザ定義用のキャラクタ・ジュネレーション用メモリ（ＣＧ  ＲＡＭ）容量も小さく、例えば、８文字、１６文字分しか登録できない。写真処理装置の場合、通常の英数字やカタカナ文字以外にも文字が必要であり、例えば、仏語、アラビア語、タイ語、特殊文字、記号等を外字として登録する必要がある。
【０００８】
【特許文献１】特開２００１−５１３５４号公報
【発明の開示】
【発明が解決しようとする課題】
【０００９】
本発明は上記実情に鑑みてなされたものであり、その目的は、パソコンや高価な表示装置を用いることなく、多くの外字コードを登録し表示できる表示装置を提供することにある。また、その表示装置を備える写真処理装置を提供することにある。
【課題を解決するための手段】
【００１０】
上記課題を解決するため本発明に係る表示装置は、
ＬＣＤモジュールと、
前記ＬＣＤモジュールの表示制御を行う表示制御部と、
前記ＬＣＤモジュールに備えられているユーザ定義用メモリに登録できる外字数以上の外字群で構成された外字コード表を登録している外字コード表記憶部と、
前記ＬＣＤモジュールの表示画面に応じて必要とされる外字を、前記外字コード表から抽出する外字コード抽出部と、を有することを特徴としている。
【００１１】
この構成の作用効果は以下のとおりである。表示装置は、ＬＣＤモジュールを備えており、このＬＣＤモジュールは、外字登録可能なユーザ定義用メモリを有している。安価なＬＣＤモジュールの場合、このユーザ定義用メモリは、例えば、少ない文字数の８文字、１６文字しか登録できないように構成されている。このような場合においても、それ以上の外字を使用できるように、表示装置には、外字コード表を登録する外字コード表記憶部が備えられている。そして、外字コード抽出部によって、ＬＣＤモジュールの表示画面に応じて必要とされる外字を、外字コード表から抽出し、表示できるように構成されている。例えば、外字コード表から抽出された外字は、ユーザ定義用メモリに記憶されている他の外字と置き換わって記憶され、表示できるように構成でき、または、ＬＣＤモジュールに内蔵の表示データメモリに記憶されて表示できるように構成することができる。これらは、表示制御部の機能による。これによって、ＬＣＤの表示画面に応じて必要な外字データを抽出して表示できる。また、安価なＬＣＤモジュールであっても、ユーザ定義用メモリに記憶可能な外字数よりも多くの外字を登録し、利用できるようになった。
【００１２】
また、本発明の好適な実施形態の一例として、外字コード抽出部は、前記表示画面に表示される外字を識別する外字識別情報に基づいて、外字コード表から当該外字識別情報に応じた外字データを抽出することを特徴とする。
【００１３】
この構成によれば、外字識別情報をキーに外字コード表から対応する外字データを抽出できる。例えば、外字識別情報を外字コードの番号として構成した場合、外字コードの管理を絶対的な番号で管理でき、外字の管理が容易となる。また、外字コード表の登録、表示画面ごとの設定等の作業を短縮できる。
【００１４】
また、他の本発明の写真処理装置は、表示制御部と、外字コード表記憶部と、外字コード抽出部とは、マイコン基板上に構成され、当該マイコン基板は、写真処理装置の基本動作を制御する制御部を有して構成されていることを特徴とする。
【００１５】
この構成によれば、写真処理装置の動作を制御するための制御用としてマイコン基板を用い、このマイコン基板は、ＬＣＤモジュールの表示制御部の機能、外字コード抽出部の機能、外字コード表記憶部の機能も備えている。マイコン基板は、高価でハイスペックのパソコンよりも安価でロースペックであるが、外字コード表を記憶するための記憶部（メモリ）を備え、ＬＣＤモジュールの表示制御部の機能および外字コード抽出部の機能をソフトウエアプログラムとＣＰＵ等で実現することで安価な構成とできる。これによって、写真処理装置にパソコンやハイスペックの表示装置を備えなくとも、安価なＬＣＤモジュールを用いて、ＬＣＤの表示画面に応じて必要な外字データを抽出し、変更して表示できる。
【発明を実施するための最良の形態】
【００１６】
（実施形態１）
本発明に係る写真処理装置を備えた写真プリント処理システムの一例の構成について、図面を用いて説明する。以下の説明において写真処理装置には、本発明に係る表示装置が具備されているが、本発明に係る表示装置は、写真処理装置に具備されるものに限定されず、他の装置にも用いられることはいうまでもない。
【００１７】
＜システムの全体構成＞
図１は、本発明に係る写真処理装置を備えたプリント処理システムの全体構成の一例を示す模式図である。本実施形態では、写真処理装置２が、ＬＡＮなどのネットワークを介してコントローラ端末１（パソコン等で構成）と接続されている。また、本システムにおいては、ネットワークを介して、記録媒体読み取り装置、写真プリント注文におけるオンラインプリント注文サーバ、注文者ＰＣ等と接続され、さらに図示していないが、受付端末、ネット受付端末が接続されている。なお、受付端末、記録媒体読み取り装置及びネット受付端末の設置台数は、それぞれ１台に限定されず、必要に応じて複数台を設置することができる。また、現像済みネガフィルムから画像データを読み取るためのスキャナー（不図示）もネットワークを介して接続される構成である。
【００１８】
コントローラ端末１は、パソコン等の情報処理装置で構成され、ネットワークを介して接続された写真処理装置２とデータ通信可能に構成され、写真処理装置２に対する動作命令、各種設定命令、写真プリント処理に関する画像データを写真処理装置２側に送信する機能を有している。
【００１９】
写真処理装置２は、コントローラ端末１から送信された画像データ（またはプリント作成用画像データ）に基づいて、写真プリントを作成する機能を有している。画像データとしては、スキャナーから取得される現像済みネガフィルムのコマ画像の画像データや、受付端末で受け付けた画像データ、ネットワーク経由で送信されてくる画像データなどが挙げられる。これら画像データは、プレジャッジ処理等の補正データによって画像処理され、プリント作成用画像データとして写真処理装置２側に提供され、写真処理装置２側では、そのデータに基づいて後述の露光処理を行う。本システムにおいて、写真処理装置２は複数設置されていてもよい。本発明の特徴点については後述する。
【００２０】
受付端末は、例えば店頭に設置され、デジタルカメラの記録メディアやその他の記録メディアに格納された画像データを受け付けることができる。受付端末は、主として顧客により操作されるものであり、顧客が持参した記録メディアを挿入して、写真プリントの作成対象となる画像データを選択したり、プリント枚数などを設定したりすることができる。記録媒体読み取り装置は、記録メディアから画像データを読み込む機能のほかに、コントローラ端末１から送信されてきた画像データ、注文データ等を記録メディアに書き込む機能も有している。
【００２１】
ネット受付端末はパソコンにより構成され、インターネットを経由したオンラインでのプリント注文を受け付ける機能を有する。かかるプリント注文の受け付けは、インターネット上に設置されたオンラインプリント注文サーバを介して行われる。即ち、プリント注文に係る画像データは、注文者ＰＣから上記サーバにアップロードされ、適当なタイミングでネット受付端末にダウンロードされてプリント処理に用いられる。このようにオンラインでプリント注文を受け付けるシステムは公知である。
【００２２】
＜プリント処理システムの機能ブロック構成＞
先ず、コントローラ端末１の主な機能について以下に説明する。
【００２３】
コントローラ端末１は、スキャナー、受付端末、記録媒体読み取り装置及びネット受付端末等から写真プリント注文に係る画像データおよび注文データからなるオーダー情報を受信するデータ受信部と、この受信したオーダー情報を保存するオーダー情報保存部と、このオーダー情報を管理制御する管理制御部と、オーダー情報の中の画像データを画像処理するための画像処理基板と、当該画像処理基板で画像処理されたプリント作成用画像データをオーダー単位に写真処理装置２側に送信するデータ送信部と、を有している。なお、画像処理基板は写真処理装置２側に設置し、コントローラ端末１から、画像処理されていない画像データと補正データを送信するように構成することもできる。
【００２４】
また、オーダー情報の画像データに対し、プレジャッジ処理を行ない、オーダー情報に当該プレジャッジの補正データを関連づけてオーダー情報保存部に保存するプレジャッジ処理部を有していてもよい。また、スキャナーまたは受付端末等から受信された画像データは、プレジャッジ処理後のものであってもよい。
【００２５】
本発明において、プレジャッジ処理は、画像データに基づいて写真プリントを作成する前に、適切な画質の写真プリントが作成されるか否かを判定するものであり、画像データに対する判定をオペレータが行なうための機能を提供し、かかる機能は主としてソフトウェアにより提供される。なお、プレジャッジ処理は必ず行なわなければならないものではなく、プレジャッジ処理を省略してプリント処理を行うことも可能である。
【００２６】
プレジャッジ処理部は、具体的には、色や濃度を補正するための補正データを入力する機能を提供するものであり、かかる補正データの入力は必要に応じて設定される。その他の補正データの設定としては、赤目補正、逆光補正などの特殊補正の設定が例としてあげられる。
【００２７】
また、プリント枚数の設定としては、スキャナーから取得した画像データに関してはデフォルトで１が設定されているが、オペレータの入力操作により変更することができる。
【００２８】
また、コントローラ端末１は、各種設定、操作指示入力等のための入力操作部と、各種設定操作指示表示等のためにモニターとを備えている。入力操作部は、キーボードやマウス等により構成される。
【００２９】
管理制御部は、写真プリント処理に関する画像データをオーダー単位に写真処理装置２側に送信するように制御している。
【００３０】
次に、写真処理装置２の機能構成について説明する。写真処理装置２は、コントローラ端末１からプリント作成用画像データを受信するデータ受信部と、受信されたプリント用作成画像データを保存するデータ保存部と、当該プリント作成用画像データをマガジンから繰り出され所定のプリントサイズに切断された印画紙Ｐに露光処理するための露光部２５と、露光処理された印画紙Ｐを現像処理するための現像部２６と、現像処理された印画紙Ｐを乾燥処理するための乾燥部２７と、乾燥処理された印画紙Ｐを仕分け処理しながら排出する仕分け排出部（不図示）と、を有して構成されている。また、写真処理装置２の全体的な動作を制御するための制御部２０１を備えている。なお、コントローラ端末１から、画像データと補正データを受信する構成の場合、写真処理装置２側にプリント作成用画像データを作成するための画像処理基板が備えられている構成でもよい。
【００３１】
画像処理基板は、例えば、入力メモリ、画像処理回路部、展開メモリにより構成され、画像処理回路部において所定の画像処理が行なわれる。具体的には、プレジャッジ処理等の補正データに基づく色・濃度の補正、設定されたプリントサイズに従ったデータの拡縮処理などである。
【００３２】
制御部２０１は、安価な構成のマイコン基板２０で実現される。このマイコン基板２０には、本発明の特徴である、表示制御部２０２、外字コード表記憶部２０３、外字コード抽出部２０４の各機能が備えられている。マイコン基板２０は、不図示のＣＰＵ（中央演算処理装置）、ＲＯＭ（各種ソフトウエアプログラムを格納している）、その他のメモリ、バス、入出力インターフェース等のハードウエア資源で構成されている。各種機能を実現するために、ＲＯＭには各種機能を実現するためのソフトウエアプログラムが格納されている。例えば、表示制御部２０２、外字コード抽出部２０４、制御部２０１の動作手順はソフトウエアプログラムで構成されている。
【００３３】
ＬＣＤモジュール２１は、ＬＣＤパネルと、バックライト、ＬＣＤドライバとを基本構成としている。ＬＣＤドライバは、例えば、キャラクタ・ジェネレータＲＯＭ（ＣＧＲＯＭ）、ユーザ定義用メモリ（ＣＧＲＡＭ）、表示データＲＡＭ等のメモリと、Ｉ／Ｏバッファ、コマンドレジスタ、データレジスタ、アドレスカウンタ、コマンド実行回路、タイミング生成回路、表示制御回路等を具備している。キャラクタ・ジェネレータＲＯＭには、英数字、カタカナ文字が格納されている。ユーザ定義用メモリ（ＣＧＲＡＭ）は、８文字までの外字を格納することができる。
【００３４】
表示制御部２０２は、ＬＣＤモジュール２１の表示制御を行う。例えば、各種コマンド、データ等を送信することで、ＬＣＤドライバがその送信されたコマンド等に従い、表示データをＬＣＤパネルに文字パターンのドットとして展開し、表示する。
【００３５】
外字コード表記憶部２０３は、ＬＣＤモジュール２１に備えられているユーザ定義用メモリに登録できる外字数以上の外字群で構成された外字コード表を登録している。外字コード表は、例えば、図２に示すように、外字コード番号とそれに対応する外字データとで構成されている。図２において、外字コード番号が＃００００、＃０００１のように絶対番号として定義され、この外字コード番号に対応する外字データ（特殊文字）がそれぞれ定義されている。このような外字コード表を作成するツールとしては、外字エディタ、外字編集ソフト等の公知のアプリケーションツールを適用できる。例えば、外字データは、５×８ドットのマトリックにおいて、必要な部分を塗りつぶす（黒塗り、反転等）ことで作成できる。また、例えば、外字コード表の登録文字数を２５６文字とすることで、マイコン基板２０上の外字コード表記憶部２０３のメモリ容量を小さく設定でき、コスト的に好ましい。
【００３６】
外字コード抽出部２０４は、ＬＣＤモジュール２１の表示画面に応じて必要とされる外字を、前記外字コード表から抽出する。例えば、外字コード抽出部２０４は、表示画面に表示される外字を識別する外字識別情報（例えば、外字コード番号）に基づいて、外字コード表から当該外字識別情報に応じた外字データを抽出することができる。抽出された外字データは、表示データとして、ＬＣＤモジュール２１に送信される。送信された外字データは、ユーザ定義用メモリに記憶されている他の外字と置き換わって記憶され、表示できるように構成される。または、ＬＣＤモジュールに内蔵の表示データＲＡＭに記憶されて表示できるように構成することもできる。これらは、表示制御部２０２の機能による。
【００３７】
（本発明の動作）
本発明において、写真処理装置２を起動し、動作が開始すると、それに応じて、ＬＣＤモジュール２１に、図３に示すように処理状況が文字列（１６文字、２行）として表示される。図３において、１画面で表示される表示内容をＭ＊＊＊＊で表現している。例えばＭ００００は、文字列「ジュンビチュウ」を表示することを意味している。＃００００は、外字コード番号であり、この外字コード番号に対応する外字データが抽出され、画面の指定位置に表示される。例えば、制御コード「％１％」の位置に外字データを表示するように構成できる。この制御コードは、この制御コードと紐付けされたはめ込み文字（例えば、動作状況に応じて変化する数値（温度）、各種指定文字データ）を制御コードの位置に表示させるために用いられる特殊コードである。
【００３８】
ＬＣＤモジュール２１に表示される表示内容は、その処理状況に応じて予め設定された表示内容が表示されるように構成されている。このＬＣＤの表示内容は、予め設定されており、マイコン基板２０のメモリに格納されている。
【００３９】
制御部２０１は、写真処理装置２の処理状況に応じて、表示内容の設定データを前記メモリから抽出し、この設定データに応じて表示制御部２０２がＬＣＤモジュール２１に表示命令を行なう。この際に、表示内容の設定データ中に、外字コード番号（外字識別情報に相当する）が含まれている場合、外字コード抽出部２０４は、外字コード番号をキーに、外字コード表記憶部２０３に記憶されている外字コード表から対応する外字データを抽出する。抽出された外字データは、表示制御部２０２によってＬＣＤモジュール２１に表示データとして、他の必要データ（コマンドを含む）と共に送信される。送信された外字データは、ユーザ定義用メモリに記憶され（他の外字と置き換わって記憶されてもよい）、ＬＣＤモジュール２１は、この外字データ及び他のデータに応じた画面表示を行なう。なお、外字コード抽出部２０４は、外字コード番号をキーに検索する際に、最初にユーザ定義用メモリを検索し、ヒットしなかった場合に、外字コード表記憶部２０３を検索するように構成できる。ユーザ定義用メモリに記憶されている場合もあるからである。
【００４０】
以上の実施形態によれば、ＬＣＤモジュール２１とマイコン基板２０という安価な構成部品を用いて、必要な文字数の外字データを登録して表示できる写真処理装置２を構成することができた。安価なＬＣＤモジュールであっても、ユーザ定義用メモリに記憶可能な外字数よりも多くの外字を登録し、利用できるようになった。
【図面の簡単な説明】
【００４１】
【図１】写真プリント処理システムの機能構成を説明するための図
【図２】外字コード表を説明するための図
【図３】ＬＣＤモジュールの表示画面の一例を説明するための図
【符号の説明】
【００４２】
１    コントローラ端末
２    写真処理装置
２０  マイコン基板
２１    ＬＣＤモジュール
２０１    制御部
２０２    表示制御部
２０３    外字コード表記憶部
２０４    外字コード抽出部
【図１】
2008275869.tif 000003
【図２】
2008275869.tif 000004
【図３】
2008275869.tif 000005